(57)【要約】      （修正有）【課題】発電所の中央制御室において、設備の運転管理を容易かつ確実に行うことが可能な発電所設備の運転管理システムを提供する。【解決手段】発電所の施設内に設置された所定の設備の現在の状態を示す状態情報を表示可能であると共に、状態情報に基づいて設備を操作可能な操作端末装置３，４と、施設内の特定の位置に設置され、施設内を撮影可能な撮影装置５と、状態情報に係る状態情報信号を入力可能な第１入力部と、撮影装置５により撮影された撮影情報に係る撮影情報信号を入力可能な第２入力部と、外部装置６に入力された外部情報に係る外部情報信号を入力可能な第３入力部と、状態情報信号に基づく状態情報、撮影情報信号に基づく撮影情報及び外部情報信号に基づく外部情報を表示可能な表示部２０と、を有する情報表示装置２と、表示部２０に表示する状態情報、撮影情報及び外部情報を選択可能な選択操作装置１０とを備える。【選択図】図１
2011186914.tif 000002
【特許請求の範囲】
【請求項１】
発電所の施設内に設置された所定の設備の現在の状態を示す状態情報を表示可能であると共に、前記状態情報に基づいて前記設備を操作可能な操作端末装置と、
前記施設内の特定の場所に設置され、前記施設内を撮影可能な撮影装置と、
前記操作端末装置に表示される前記状態情報に係る状態情報信号を入力可能な第１入力部と、前記撮影装置により撮影された撮影情報に係る撮影情報信号を入力可能な第２入力部と、前記操作端末装置及び前記撮影装置とは異なる外部装置に入力された外部情報に係る外部情報信号を入力可能な第３入力部と、前記第１入力部から入力された前記状態情報信号に基づく前記状態情報、前記第２入力部から入力された前記撮影情報信号に基づく前記撮影情報及び前記第３入力部から入力された前記外部情報信号に基づく前記外部情報を表示可能な表示部と、を有する情報表示装置と、
前記表示部に表示する前記状態情報、前記撮影情報及び外部情報を選択可能な選択表示装置と、
を備える発電所設備の運転管理システム。
【請求項２】
前記外部装置に入力された前記外部情報に含まれる音声情報を出力可能な音声出力装置を更に備える請求項１に記載の発電所設備の運転管理システム。
【請求項３】
前記情報表示装置の前記表示部は、プラズマディスプレイパネルである請求項１又は２に記載の発電所設備の運転管理システム。
【請求項４】
前記外部装置は、所定の映像情報信号を受信可能な受信装置である請求項１から３のいずれかに記載の発電所設備の運転管理システム。
【請求項５】
前記外部装置は、前記所定の設備の操作方法が記憶された記憶媒体を備えるパーソナルコンピュータである請求項１から３のいずれかに記載の発電所設備の運転管理システム。
【請求項６】
前記外部装置は、所定の記憶媒体に記憶された記憶情報を出力可能な出力装置である請求項１から３のいずれかに記載の発電所設備の運転管理システム。
【発明の詳細な説明】
【技術分野】
【０００１】
本発明は、発電所の中央制御室において、発電所内の設備の管理等を行う発電所設備の運転管理システムに関する。
【背景技術】
【０００２】
従来より、火力発電所等の発電所には、安全に発電（例えば、火力発電）を行うために中央制御室が設置されている。中央制御室は、発電所内の設備の監視や設備を構成する装置の運転の制御等、火力発電における設備の管理を行う場所である。この中央制御室は、例えば、設備を構成する複数の装置等のデータの計測や計測結果に基づく計算を行う中央制御盤を備えており、中央制御盤で算出されたデータをもとに、複数のオペレータがオペレーションコンピュータを備えた操作机（以下、「オペコンデスク」ともいう）で発電における設備の制御や監視を行っている。
【０００３】
ところで、中央制御室での作業は、通常、オペコンデスクに映し出される複数の装置等の現在の状態をオペレータが監視する、監視作業が多い。そのため、複数の装置等それぞれの状態は、オペコンデスクに常時表示される他に、中央制御室で作業する複数のオペレータ等がすぐに確認できるようにオペコンデスクの正面に設置されたディスプレイ装置にも表示される。
【０００４】
ここで、このディスプレイ装置は、中央制御室で作業する複数のオペレータ等が容易に視認できるように大型であることを必要とする。また、中央制御室に設置するためには、製品寿命が長く、メンテナンスが容易であることを必要とする。更に、中央制御室の壁に設置するため、軽量で薄型であることが必要とされる。そのため、従来より、中央制御室に設置されるディスプレイ装置は、映像をスクリーンに投影して映し出す、いわゆるプロジェクタ方式のものが用いられていた（例えば、特許文献１）。
【先行技術文献】
【特許文献】
【０００５】
【特許文献１】特開平５−３４４６１８号公報
【発明の概要】
【発明が解決しようとする課題】
【０００６】
しかしながら、この中央制御室に設置されたプロジェクタ方式のディスプレイ装置は、例えば、オペレーションコンピュータやＩＴＶカメラ等の特定の装置以外の接続、つまり、外部装置を接続させるための入力部を有していない。また、これらを接続するための入力部を追加することもできなかった。そのため、従来より中央制御室に設置されたディスプレイ装置は、オペレーションコンピュータやＩＴＶカメラからの映像をスクリーンに投影することしかできなかった。
【０００７】
これにより、例えば、台風が接近した場合や地震が起きた場合等の防災時には、テレビで台風情報や地震情報を確認しながら設備の制御等の運転対応を行うが、中央制御室にはテレビが設置されていないことが多い。また、プロジェクタ方式のディスプレイ装置は、通常、ＴＶチューナ機能を備えておらず、入力部がないためＴＶチューナを接続することもできない。そのため、このような場合には、別室等で台風情報や地震情報を確認してから設備の運転対応をしなければならず、対応するまでに時間が掛かるという問題があった。
【０００８】
また、例えば、トラブル発生時や設定変更時等において操作マニュアルに沿った修正作業を行う場合には、紙ベースの操作マニュアルを取り出してオペコンデスク上に置いた状態で、操作マニュアルを捲りながら修正作業を行わなければならなかった。つまり、操作マニュアルを捲りながら内容を確認し、画面に目線を移動させて作業を行わなければならなかった。そして、この作業は、大変煩雑な作業であると共に、オペコンデスクが狭いこともあり操作を誤るおそれがあった。
【０００９】
更に、例えば、会議や報告会等を行う場合、中央制御室は、資料等を映し出せる共有のモニタ（ディスプレイ）を有さないため、オペコンデスクから離れたモニタを有する部屋でモニタに資料を映し出しながら進められることが多い。そのため、中央制御室を離れるオペレータが増え、一時的に設備の運転監視が疎かになるおそれがあるという問題があった。
【００１０】
本発明は、発電所の中央制御室において、設備の運転管理を容易かつ確実に行うことが可能な発電所設備の運転管理システムを提供することを目的とする。
【課題を解決するための手段】
【００１１】
本発明は、発電所の施設内に設置された所定の設備の現在の状態を示す状態情報を表示可能であると共に、前記状態情報に基づいて前記設備を操作可能な操作端末装置と、前記施設内の特定の場所に設置され、前記施設内を撮影可能な撮影装置と、前記操作端末装置に表示される前記状態情報に係る状態情報信号を入力可能な第１入力部と、前記撮影装置により撮影された撮影情報に係る撮影情報信号を入力可能な第２入力部と、前記操作端末装置及び前記撮影装置とは異なる外部装置に入力された外部情報に係る外部情報信号を入力可能な第３入力部と、前記第１入力部から入力された前記状態情報信号に基づく前記状態情報、前記第２入力部から入力された前記撮影情報信号に基づく前記撮影情報及び前記第３入力部から入力された前記外部情報信号に基づく前記外部情報を表示可能な表示部と、を有する情報表示装置と、前記表示部に表示する前記状態情報、前記撮影情報及び外部情報を選択可能な選択表示装置と、を備える発電所設備の運転管理システム。
【００１２】
また、前記外部装置に入力された前記外部情報に含まれる音声情報を出力可能な音声出力装置を更に備えることが好ましい。
【００１３】
また、前記情報表示装置の前記表示部は、プラズマディスプレイパネルであることが好ましい。
【００１４】
また、前記外部装置は、所定の映像情報信号を受信可能な受信装置であることが好ましい。
【００１５】
また、前記外部装置は、前記所定の設備の操作方法が記憶された記憶媒体を備えるパーソナルコンピュータであることが好ましい。
【００１６】
また、前記外部装置は、所定の記憶媒体に記憶された記憶情報を出力可能な出力装置であることが好ましい。
【発明の効果】
【００１７】
本発明によれば、発電所の中央制御室において、設備の運転管理を容易かつ確実に行うことが可能な発電所設備の運転管理システムを提供することができる。
【図面の簡単な説明】
【００１８】
【図１】本発明の第１実施形態に係る発電所設備の運転管理システムを示す構成図である。
【図２】第１実施形態に係るプラズマディスプレイ装置の入力部を示す構成図である。
【図３】第１実施形態に係るプラズマディスプレイ装置の表示部に表示される天気情報を示す説明図である。
【図４】本発明の第２実施形態に係る発電所設備の運転管理システムを示す構成図である。
【図５】第２実施形態に係るプラズマディスプレイ装置の入力部を示す構成図である。
【図６】第２実施形態に係るプラズマディスプレイ装置の表示部に表示される操作マニュアルを示す説明図である。
【図７】本発明の第３実施形態に係る発電所設備の運転管理システムを示す構成図である。
【図８】第３実施形態に係るプラズマディスプレイ装置の入力部を示す構成図である。
【図９】第３実施形態に係るプラズマディスプレイ装置の表示部に表示される研修ビデオを示す説明図である。
【発明を実施するための形態】
【００１９】
以下、本発明の実施形態について図面を参照しながら説明する。
本発明の実施形態に係る発電所設備の運転管理システム１は、火力発電所の中央制御室において制御される所定の設備の運転管理（監視及び制御等）を行う際に利用される。
【００２０】
［第１実施形態］
まず、本発明の第１実施形態に係る発電所設備の運転管理システム１について、図１及び図２を参照しながら説明する。
図１は、本発明の第１実施形態に係る発電所設備の運転管理システム１を示す構成図である。図２は、第１実施形態に係るプラズマディスプレイ装置２の入力部２１を示す構成図である。
【００２１】
図１に示すように、第１実施形態に係る発電所設備の運転管理システム１は、情報表示装置としてのプラズマディスプレイ装置２と、複数の操作端末装置としてのオペレーションコンピュータを有する第１オペコンデスク３と、複数の操作端末装置としてのオペレーションコンピュータを有する第２オペコンデスク４と、撮影装置としてのＩＴＶカメラ５と、外部装置としてのＴＶチューナ（受信装置）６と、音声出力装置としてのスピーカ９Ａ，９Ｂと、選択表示装置としてのコントローラ１０と、ユニット計算機１１と、を備える。
【００２２】
プラズマディスプレイ装置２は、後述の入力部２１から入力された情報を映像化して表示する。
図１及び図２に示すように、プラズマディスプレイ装置２は、入力部２１と、変換部（図示せず）と、表示部２０と、を備える。
入力部２１は、オペレーションコンピュータ３０、ＩＴＶカメラ５及び外部装置から出力される情報信号を入力するためのものである。図２に示すように、入力部２１は、第１入力部２２と、第２入力部２３と、第３入力部２４と、を備える。
【００２３】
第１入力部２２は、並設された５個の接続端子ＣＲＴ１，ＣＲＴ２，ＣＲＴ３，ＣＲＴ４，ＣＲＴ５を備える。第１入力部２２の接続端子ＣＲＴ１，ＣＲＴ２，ＣＲＴ３，ＣＲＴ４，ＣＲＴ５には、接続コード（図示せず）を介してオペレーションコンピュータ３０が接続される。
第２入力部２３は、並設された５個の接続端子ＩＴＶ１，ＩＴＶ２，ＩＴＶ３，ＩＴＶ４，ＩＴＶ５を備える。第２入力部２３の接続端子ＩＴＶ１，ＩＴＶ２，ＩＴＶ３，ＩＴＶ４，ＩＴＶ５には、接続コード（図示せず）を介してＩＴＶカメラ５が接続される。
第３入力部２４は、１０個の接続端子ＴＶ，ＰＣ，ＶＤ，外１〜７を備える。第３入力部２４の接続端子ＴＶ，ＰＣ，ＶＤ，外１〜７には、接続コードを介してＴＶチューナ、パーソナルコンピュータ、ビデオデッキ等の外部装置が接続される。
【００２４】
変換部は、第１入力部２２から入力される後述の状態情報信号、第２入力部２３から入力される後述の撮影情報信号及び第３入力部２４から入力される後述の外部情報信号を映像情報に変換する。
表示部２０は、プラズマディスプレイパネルにより形成されており、変換部で変換された映像情報を表示する。
【００２５】
ユニット計算機１１は、所定の設備を構成する複数の装置等の運転に必要なデータの計測や計測結果に基づく計算を行う。また、ユニット計算機１１は、第１オペコンデスク３及び第２オペコンデスク４と電気的に接続されており、第１オペコンデスク３及び第２オペコンデスク４に所定の設備の現在の状態を示す状態情報や上述の計算に基づいた運転の指示等を送信する。
【００２６】
第１オペコンデスク３は、第１オペレーションコンピュータ３１と、第２オペレーションコンピュータ３２と、第３オペレーションコンピュータ３３と、を備える。
【００２７】
第１オペレーションコンピュータ３１は、モニタ３１ａと、操作キー３１ｂと、を備える。モニタ３１ａは、ユニット計算機１１から送信された所定の設備の状態情報等を表示する。操作キー３１ｂは、ユニット計算機１１から送信される運転の指示等に基づいたオペレータによる操作に使用される。
また、第１オペレーションコンピュータ３１は、プラズマディスプレイ装置２における第１入力部２２の接続端子ＣＲＴ１に接続される。第１オペレーションコンピュータ３１は、ユニット計算機１１から送信される状態情報を状態情報信号として第１入力部２２に入力する。
【００２８】
第２オペレーションコンピュータ３２及び第３オペレーションコンピュータ３３は、第１オペレーションコンピュータ３１と構成を同じにするため、構成に係る説明を省略する。
第２オペレーションコンピュータ３２は、プラズマディスプレイ装置２における第１入力部２２の接続端子ＣＲＴ２に接続される。第２オペレーションコンピュータ３２は、ユニット計算機１１から送信される状態情報を状態情報信号として第１入力部２２に入力する。
第３オペレーションコンピュータ３３は、プラズマディスプレイ装置２における第１入力部２２の接続端子ＣＲＴ３に接続される。第３オペレーションコンピュータ３３は、ユニット計算機１１から送信される状態情報を状態情報信号として第１入力部２２に入力する。
【００２９】
なお、第１オペレーションコンピュータ３１のモニタ３１ａに表示される状態情報と、第２オペレーションコンピュータ３２のモニタ３２ａに表示される状態情報及び第３オペレーションコンピュータ３３のモニタ３３ａに表示される状態情報とは、同じ状態情報を表示してもよく、異なる状態情報を表示してもよい。
【００３０】
第２オペコンデスク４は、第４オペレーションコンピュータ４１と、第５オペレーションコンピュータ４２と、を備える。
【００３１】
第４オペレーションコンピュータ４１は、モニタ４１ａと、操作キー４１ｂと、を備える。モニタ４１ａは、ユニット計算機１１から送信された所定の設備の状態情報等を表示する。操作キー４１ｂは、ユニット計算機１１から送信される運転の指示等に基づいたオペレータによる操作に使用される。
また、第４オペレーションコンピュータ４１は、プラズマディスプレイ装置２における第１入力部２２の接続端子ＣＲＴ４に接続されている。第４オペレーションコンピュータ４１は、ユニット計算機１１から送信される状態情報を状態情報信号として第１入力部２２に入力する。
【００３２】
第５オペレーションコンピュータ４２は、第４オペレーションコンピュータ４１と構成を同じにするため、構成に係る説明を省略する。
第５オペレーションコンピュータ４２は、プラズマディスプレイ装置２における第１入力部２２の接続端子ＣＲＴ５に接続されている。第５オペレーションコンピュータ４２は、ユニット計算機１１から送信される状態情報を状態情報信号として第１入力部２２に入力する。
【００３３】
なお、第４オペレーションコンピュータ４１のモニタ４１ａに表示される状態情報と、第５オペレーションコンピュータ４２のモニタ４２ａに表示される状態情報とは、同じ状態情報を表示してもよく、異なる状態情報を表示してもよい。
【００３４】
ＩＴＶカメラ５は、発電所の施設内における特定の場所に設置され、施設内の特定の場所を撮影する。第１実施形態においては、１台のＩＴＶカメラ５がプラズマディスプレイ装置２における第２入力部２３の接続端子ＩＴＶ１に接続されており、ＩＴＶカメラ５によって撮影された撮影情報は、撮影情報信号として第２入力部２３に入力される。
【００３５】
また、ＩＴＶカメラ５は、プラズマディスプレイ装置２に隣接して設置されたモニタ（図示せず）にも接続されており、通常は、ＩＴＶカメラ５による撮影情報は、不図示のモニタ上に撮影画像として映し出されるように構成されている。
【００３６】
ＴＶチューナ６は、映像情報信号としてのＴＶ情報を受信する。ＴＶチューナ６は、プラズマディスプレイ装置２における第３入力部２４の接続端子ＴＶに接続されており、ＴＶチューナが受信したＴＶ情報は、ＴＶ情報信号として第３入力部２４に入力される。
【００３７】
スピーカ９Ａ，９Ｂは、プラズマディスプレイ装置２に接続されており、入力部２１から入力された撮影情報信号及びＴＶ情報信号に含まれる音声情報信号を音声情報に変換し、外部に出力する。例えば、スピーカ９Ａ，９Ｂは、第３入力部２４の接続端子ＴＶから入力されたＴＶ情報信号に含まれる音声情報信号を音声情報に変換し、外部に出力する。
【００３８】
コントローラ１０は、プラズマディスプレイ装置２の入力部２１から入力された状態情報、撮影情報及びＴＶ情報から、オペレータに任意に選択された情報を表示部２０に表示させる。
具体的には、コントローラ１０は、ユニット計算機１１から送信される設備の現在の状態を示す状態情報、ＩＴＶカメラ５により撮影された撮影情報又はＴＶチューナ６により受信されたＴＶ情報から、オペレータにより任意に選択された情報を表示部２０に表示させる。
【００３９】
次に、第１実施形態に係る発電所設備の運転管理システム１の作用について、図３を参照しながら説明する。図３は、第１実施形態に係るプラズマディスプレイ装置２の表示部２０に表示される天気情報を示す説明図である。
【００４０】
第１実施形態に係る発電所設備の運転管理システム１のプラズマディスプレイ装置２には、通常時は、ユニット計算機１１から送信される設備の現在の状態を示す状態情報が表示される。第１実施形態においては、第１オペコンデスク３に設けられた第１オペレーションコンピュータ３１のモニタ３１ａに表示される状態情報が表示される。
【００４１】
一方、オペレータがコントローラ１０を操作して、第２オペレーションコンピュータ３２のモニタ３２ａに表示された状態情報、第３オペレーションコンピュータ３３のモニタ３３ａに表示された状態情報、第４オペレーションコンピュータ４１のモニタ４１ａに表示された状態情報又は第５オペレーションコンピュータ４２のモニタ４２ａに表示された状態情報のいずれかを選択すると、選択された状態情報がプラズマディスプレイ装置２に表示される。
【００４２】
また、プラズマディスプレイ装置２にはＩＴＶカメラ５が接続されている。そのため、オペレータがコントローラ１０を操作してＩＴＶカメラ５を選択することにより、ＩＴＶカメラ５により撮影された画像がプラズマディスプレイ装置２に表示される。
なお、ＩＴＶカメラ５により撮影された画像は、通常、プラズマディスプレイ装置２に隣接して設置された不図示のモニタ上に撮影画像として映し出されるように構成されている。
【００４３】
更に、プラズマディスプレイ装置２にはＴＶチューナ６が接続されている。そのため、オペレータがコントローラ１０を操作してＴＶチューナを選択することにより、ＴＶチューナ６により受信されたＴＶ情報がプラズマディスプレイ装置２に表示される。例えば、図３に示す天気情報が表示される。
オペレータによりＴＶ情報が選択されると、プラズマディスプレイ装置２に天気情報等のＴＶ情報が表示されると共に、天気情報等に含まれる音声情報がスピーカ９Ａ，９Ｂから出力される。
【００４４】
以上のような構成を有する第１実施形態に係る発電所設備の運転管理システム１によれば、例えば、以下のような効果が奏される。
第１実施形態に係る発電所設備の運転管理システム１は、火力発電所における所定の設備の現在の状態を示す状態情報に係る状態情報信号を入力可能な第１入力部２２及び施設内の特定の場所を撮影した撮影情報に係る撮影情報信号を入力可能な第２入力部２３に加え、外部装置から外部情報に係る外部情報信号を入力可能な第３入力部２４を有するプラズマディスプレイ装置２を備える。
そのため、状態情報及び撮影情報以外の外部情報を容易にプラズマディスプレイ装置２に表示させることができる。これにより、例えば、火力発電所の中央制御室において、複数のオペレータが容易に外部情報を確認することができる。つまり、中央制御室内において、状態情報及び撮影情報に加え、外部情報を容易に共有化させることができる。
【００４５】
また、第１実施形態に係る発電所設備の運転管理システム１は、外部装置として、ＴＶチューナ６を備える。そのため、例えば、台風が接近した場合や地震が起きた場合等の防災時において、プラズマディスプレイ装置２に台風情報や地震情報等の防災情報を表示させながら、第１オペコンデスク３又は第２オペコンデスク４に座ったままで、オペレーションコンピュータを操作することができる。つまり、防災時における設備の運転対応を速やかに行うことができる。
【００４６】
また、プラズマディスプレイ装置２には、スピーカ９Ａ，９Ｂが接続されている。そのため、音声を交えた防災情報を得ることが可能となり、より確実に正確な防災情報を得ることが可能になる。
これにより、防災時においても、設備の運転管理を容易かつ確実に行うことができる。
【００４７】
また、プラズマディスプレイ装置２の表示部２０は、プラズマディスプレイパネルにより形成されている。そのため、画面がきれいであると共に、例えば、中央制御室が暗くなった場合においても、鮮明な映像として状態情報等を表示することができる。
【００４８】
［第２実施形態］
次に、本発明の第２実施形態に係る発電所設備の運転管理システム１Ａについて、図４及び図５を参照しながら説明する。
図４は、本発明の第２実施形態に係る発電所設備の運転管理システム１Ａを示す構成図である。図５は、第２実施形態に係るプラズマディスプレイ装置２の入力部２１を示す構成図である。
【００４９】
図４及び図５に示すように、第２実施形態に係る発電所設備の運転管理システム１Ａは、第３入力部２４の接続端子ＰＣにパーソナルコンピュータ７を接続することにおいて、第１実施形態に係る発電所設備の運転管理システム１と相違する。そのため、第２実施形態においては、第１実施形態と異なる点、つまり、接続端子ＰＣに接続されるパーソナルコンピュータ７を中心に説明する。
【００５０】
なお、第２実施形態において、第１実施形態に係る発電所設備の運転管理システム１と同様の構成のものについては、同じ符号を付して説明を省略する。また、第２実施形態において、第１実施形態と同様の構成のものについては、第１実施形態と同様の効果を奏する。
【００５１】
図４に示すように、第２実施形態に係る発電所設備の運転管理システム１Ａは、プラズマディスプレイ装置２と、複数のオペレーションコンピュータを有する第１オペコンデスク３と、複数のオペレーションコンピュータを有する第２オペコンデスク４と、ＩＴＶカメラ５と、外部装置としてのパーソナルコンピュータ７と、スピーカ９Ａ，９Ｂと、コントローラ１０と、ユニット計算機１１と、を備える。
【００５２】
パーソナルコンピュータ７は、発電所の設備を構成する装置の操作方法が記載された操作マニュアルを記憶した記憶媒体（図示せず）を備える。
パーソナルコンピュータ７は、プラズマディスプレイ装置２における第３入力部２４の接続端子ＰＣに接続されている。パーソナルコンピュータ７は、記憶媒体が記憶した操作マニュアルの電子情報を電子情報信号として第３入力部２４に入力することができる。
第３入力部２４に入力された電子情報信号は、プラズマディスプレイ装置２の変換部で操作マニュアルを示す映像情報に変換され、表示部２０に表示される。
【００５３】
次に、第２実施形態に係る発電所設備の運転管理システム１Ａの作用について、図６を参照しながら説明する。図６は、第２実施形態に係るプラズマディスプレイ装置２の表示部２０に表示される操作マニュアルを示す説明図である。
【００５４】
第２実施形態に係る発電所設備の運転管理システム１Ａのプラズマディスプレイ装置２には、通常時は、ユニット計算機１１から送信される設備の現在の状態を示す状態情報が表示される。第２実施形態においては、第１オペコンデスク３に設けられた第１オペレーションコンピュータ３１のモニタ３１ａに表示される状態情報が表示される。
【００５５】
ここで、プラズマディスプレイ装置２にはパーソナルコンピュータ７が接続されている。このパーソナルコンピュータ７は、発電所の設備を構成する装置の操作方法が記載された操作マニュアルを記憶した記憶媒体を備える。そのため、オペレータがコントローラ１０を操作してパーソナルコンピュータ７を選択することにより、パーソナルコンピュータ７により操作された情報をプラズマディスプレイ装置２に表示させることができる。つまり、パーソナルコンピュータ７の記憶媒体に記憶された操作マニュアルをプラズマディスプレイ装置２に表示させることができる。
例えば、図６に示すようにプラズマディスプレイ装置２の表示部２０に電子化された操作マニュアルを表示することができる。この電子化された操作マニュアルは、パーソナルコンピュータ７を操作することによりページ捲り等の操作を行うことができる。
【００５６】
以上のような構成を有する第２実施形態に係る発電所設備の運転管理システム１Ａによれば、例えば、以下のような効果が奏される。
第２実施形態に係る発電所設備の運転管理システム１Ａは、外部装置として、パーソナルコンピュータ７を備える。このパーソナルコンピュータ７は、火力発電所の所定の設備を構成する装置の操作方法が記載された操作マニュアルを電子化して記憶した記憶媒体を備える。
そのため、例えば、トラブル発生時や設定変更等において操作マニュアルに沿った修正作業を行う必要が生じた場合においても、紙ベースの操作マニュアルを取り出すことなく、作業を行うことができる。また、例えば、紙ベースの操作マニュアルを捲りながら作業を行う必要等がなくなる。これにより、トラブル発生時や設定変更等においても、設備の運転管理を容易かつ確実に行うことができる。
【００５７】
［第３実施形態］
次に、本発明の第３実施形態に係る発電所設備の運転管理システム１Ｂについて、図７及び図８を参照しながら説明する。
図７は、本発明の第３実施形態に係る発電所設備の運転管理システム１Ｂを示す構成図である。図８は、第３実施形態に係るプラズマディスプレイ装置２の入力部２１を示す構成図である。
【００５８】
図７及び図８に示すように、第３実施形態に係る発電所設備の運転管理システム１Ｂは、第３入力部２４の接続端子ＶＤに外部装置としてのビデオデッキ８を接続させることにおいて、第１実施形態に係る発電所設備の運転管理システム１と相違する。そのため、第３実施形態においては、第１実施形態と異なる点、つまり、接続端子ＶＤに接続されるビデオデッキ８を中心に説明する。
【００５９】
なお、第３実施形態において、第１実施形態と同様の構成のものについては同じ符号を付して、説明を省略する。また、第３実施形態において、第１実施形態と同様の構成のものについては、第１実施形態と同様の効果を奏する。
【００６０】
図７に示すように、第３実施形態に係る発電所設備の運転管理システム１Ｂは、プラズマディスプレイ装置２と、複数のオペレーションコンピュータを有する第１オペコンデスク３と、複数のオペレーションコンピュータを有する第２オペコンデスク４と、ＩＴＶカメラ５と、外部装置としてのビデオデッキ８と、スピーカ９Ａ，９Ｂと、コントローラ１０と、ユニット計算機１１と、を備える。
【００６１】
ビデオデッキ８は、所定の記憶媒体であるビデオテープ（図示せず）に記憶された記憶情報としてのビデオ情報を出力（再生）する。ビデオデッキ８は、プラズマディスプレイ装置２における第３入力部２４の接続端子ＶＤに接続されており、ビデオデッキ８が出力したビデオ情報は、記憶情報信号として第３入力部２４に入力される。
【００６２】
次に、第３実施形態に係る発電所設備の運転管理システム１Ｂの作用について、図９を参照しながら説明する。図９は、第３実施形態に係るプラズマディスプレイ装置２の表示部２０に表示されるビデオ情報を示す説明図である。
【００６３】
第３実施形態に係る発電所設備の運転管理システム１Ｂのプラズマディスプレイ装置２には、通常時は、ユニット計算機１１から送信される設備の現在の状態を示す状態情報が表示される。第３実施形態においては、第１オペコンデスク３に設けられた第１オペレーションコンピュータ３１のモニタ３１ａに表示される状態情報が表示される。
【００６４】
ここで、プラズマディスプレイ装置２にはビデオデッキ８が接続されている。このビデオデッキ８は、業務支援ツールや研修ツール等が録画されたビデオテープを再生可能に構成されている。そのため、例えば、オペレータがコントローラ１０を操作してビデオデッキ８を選択することにより、ビデオデッキ８により操作されたビデオ情報をプラズマディスプレイ装置２に表示させることができる。つまり、ビデオデッキ８で再生した業務支援ツールや研修ツール等をプラズマディスプレイ装置２に表示させることができる。
例えば、図９に示すようにプラズマディスプレイ装置２の表示部２０にビデオテープに録画された業務支援ツールや研修ツール等を表示することができる。この録画された業務支援ツールや研修ツール等は、ビデオデッキ８を操作することにより巻き戻し等の操作を行うことができる。
【００６５】
以上のような構成を有する第３実施形態に係る発電所設備の運転管理システム１Ｂによれば、例えば、以下のような効果が奏される。
第３実施形態に係る発電所設備の運転管理システム１Ｂにおいては、外部装置として、ビデオデッキ８を備える。このビデオデッキ８は、火力発電に係る安全衛生等の研修内容や業務支援に係る内容が録画されたビデオテープを再生可能に構成されている。
【００６６】
そのため、会議や報告会等を行う場合においては、従来、情報の共有化のためにテレビとビデオを別途用意して、業務支援ツールを用いた情報の共有化を行っていたが、直接、プラズマディスプレイ装置２に業務支援ツールを表示することにより、上述の準備をする手間を省くことができる。
また、会議や報告会等に使用される資料をプラズマディスプレイ装置２に表示することにより、中央制御室を離れることなく会議や報告会等を進めることができる。これにより、例えば、会議や報告会のために、一時的に中央制御室を離れるオペレータが増え、設備の運転監視等が疎かになることを防止することができる。その結果、設備の運転管理を容易かつ確実に行うことができる。
【００６７】
以上、本発明の好適な実施形態について説明したが、本発明の技術的範囲はこれらに限定されることなく、種々の形態で実施することができる。
【００６８】
例えば、本実施形態においては、ＴＶチューナ６、パーソナルコンピュータ７及びビデオデッキ８から出力される外部情報を入力させたが、本発明においてはこれに限定されない。プラズマディスプレイ装置２に入力する外部情報は、オペレーションコンピュータ及びＩＴＶカメラ以外の外部装置に入力された外部情報であればよい。例えば、設備の状態情報等と異なる情報であればよい。
【００６９】
また、本実施形態においては、ＴＶチューナ６、パーソナルコンピュータ７及びビデオデッキ８を個別に接続する構成としたが、本発明においてはこれに限定されない。これらの外部装置を第３入力部２４にすべて接続してもよい。
【００７０】
また、本実施形態においては、プラズマディスプレイ装置２に、ＴＶチューナ６から入力されるＴＶ情報、パーソナルコンピュータ７から入力される操作マニュアル等の電子情報又はビデオデッキ８から入力されるビデオ情報等の外部情報を表示部２０の全体に表示させる構成としたが、本発明においてはこれに限定されない。第１オペコンデスク３等に表示される状態情報と外部情報の両方を表示部２０に表示する構成としてもよい。
【００７１】
また、第２実施形態においては、パーソナルコンピュータ７の記憶媒体に記憶された操作マニュアルの電子情報を表示部２０に表示させる構成としたが、本発明においてはこれに限定されない。電子情報は、パーソナルコンピュータ７の記憶媒体に記憶されているものであればよい。例えば、スケジュール、実績、研修等の情報であってもよい。
【符号の説明】
【００７２】
１，１Ａ，１Ｂ    運転管理システム
２    プラズマディスプレイ装置（情報表示装置）
３    第１オペコンデスク（操作端末装置）
４    第２オペコンデスク（操作端末装置）
５    ＩＴＶカメラ（撮影装置）
６    ＴＶチューナ（外部装置（受信装置））
７    パーソナルコンピュータ（外部装置）
８    ビデオデッキ（外部装置（出力装置））
９Ａ、９Ｂ    スピーカ（音声出力装置）
１０    コントローラ（選択操作装置）
１１    ユニット計算機
２０    表示部
２１    入力部
２２    第１入力部
２３    第２入力部
２４    第３入力部
【図１】
2011186914.tif 000003
【図２】
2011186914.tif 000004
【図３】
2011186914.tif 000005
【図４】
2011186914.tif 000006
【図５】
2011186914.tif 000007
【図６】
2011186914.tif 000008
【図７】
2011186914.tif 000009
【図８】
2011186914.tif 000010
【図９】
2011186914.tif 000011